(57)【特許請求の範囲】
【請求項１】
建物の床部に当該床部により仕切られた上下の空間を連通する通気路が形成され、該通気路を介して前記床部の上方の床上空間に空気が導入される建物の通気構造において、
前記通気路として、前記床部の周縁に設けられる壁部の近傍に配置された壁際通気路を備え、
前記床上空間において前記壁際通気路の上方には前記壁部から張り出して張出部が設けられており、
前記壁際通気路は、人の脚を入れるための脚入れ部となっており、
前記脚入れ部には、通気を可能とする通気孔を有し、当該脚入れ部に入れられた脚を載せ置くための底板部が設けられ、
前記脚入れ部に脚を入れた状態で前記床部により形成された床面に腰掛可能とされていることを特徴とする建物の通気構造。
【請求項２】
前記張出部として、前記脚入れ部に脚を入れ前記床面に腰掛けた状態で利用可能な机天板が設けられていることを特徴とする請求項１に記載の建物の通気構造。
【請求項３】
上下に隣接する上階部と下階部とを有し、前記上階部の上階空間と前記下階部の下階空間とを仕切る階間部の周縁には前記上階部及び前記下階部に上下同じとなる位置で壁部が設けられる建物に適用され、
前記階間部としての床部には前記上階空間と前記下階空間とを連通する通気路が形成され、該通気路を介して床上空間としての前記上階空間に空気が導入される建物の通気構造において、
前記通気路として、前記壁部の近傍に配置された壁際通気路を備え、
前記上階空間において前記壁際通気路の上方には前記壁部から張り出して張出部が設けられており、
前記下階空間には、前記床部を挟んで前記張出部と上下対称となる状態で下階張出部が設けられていることを特徴とする建物の通気構造。
【請求項４】
前記壁部は、屋内外を仕切る外壁部であり、
前記外壁部における前記張出部よりも上方には、屋内外を連通する換気開口部が設けられていることを特徴とする請求項１乃至３のいずれか一項に記載の建物の通気構造。
【請求項５】
前記張出部として、物品を収納可能な収納部が設けられていることを特徴とする請求項１乃至４のいずれか一項に記載の建物の通気構造。
【請求項６】
前記通気路には、通気を可能とする通気孔を有してなる通気板部が、その上面部が前記床上空間の床面と略同じ高さとなる位置に設けられ、
前記張出部の下方スペースに人が入り込んで前記通気板部上に乗るのを抑制すべく、前記床部に対する前記張出部の下面部の高さが所定の高さ範囲に設定されていることを特徴とする請求項１乃至５のいずれか一項に記載の建物の通気構造。
【請求項７】
建物本体の外側に取り付けられる拡張ユニットを有し、前記拡張ユニットが、四方の側面部のうち一の側面部が無壁部として構成され、該無壁部にて前記建物本体に連結することで当該建物本体側と一体の屋内空間が形成され、前記拡張ユニットにより前記床部の一部が構成される建物に適用され、
前記壁際通気路は、前記床部において前記拡張ユニットにて形成されるユニット床部に設けられ、前記張出部は、前記拡張ユニットの無壁部とは反対側の壁部から張り出して設けられていることを特徴とする請求項１乃至６のいずれか一項に記載の建物の通気構造。
【請求項８】
上下に隣接する上階部と下階部とを有してなる建物に適用され、
前記上階部と前記下階部との間の床部である階間部に前記壁際通気路を含む前記通気路が形成されており、
前記階間部において前記下階部の天井面材と前記上階部の床面材との間には空調機が設置されており、
前記空調機には、前記壁際通気路に通じる通気ダクトが接続されていることを特徴とする請求項１乃至７のいずれか一項に記載の建物の通気構造。
【発明の詳細な説明】
【技術分野】
【０００１】
本発明は、建物の通気構造に関する。
【背景技術】
【０００２】
住宅等の建物では、一階部分と二階部分とを仕切る床部（換言すると階間部）に一階部分と二階部分とを連通する通気路を設け、この通気路を通じて一階部分と二階部分との間で通気を行う場合がある。例えば特許文献１には、上記床部の複数箇所に、具体的には平面視において床部の中央部及び外壁部の近傍にそれぞれかかる通気路を設ける構成が開示されている。また、同文献では、外壁部の二階部分に屋内外を連通する換気口を設けている。この場合、床部に設けられた各通気路を通じて一階部分から二階部分に空気が流れ込み、その流れ込んだ空気が外壁部の換気口より屋外に排出される。
【先行技術文献】
【特許文献】
【０００３】
【特許文献１】特開平１１−１９３９３６号公報
【発明の概要】
【発明が解決しようとする課題】
【０００４】
ところで、上記の構成では、床部において通気路の上方に家具等が設置されると、家具等により通気路が塞がれるおそれがある。この場合、通気路を通じて通気を行うことが困難となり問題となりうる。
【０００５】
また、上記の構成において、床部に設けられた複数の通気路のうち外壁部近傍に設けられた壁際の通気路を通じて一階部分から二階部分に流れ込んだ空気は外壁部に沿って上方に流れ、その後同外壁部に設けられた換気口より屋外に排出されると考えられる。そのため、壁際の通気路から二階部分に入った空気については二階部分に広く行き渡らせることが難しく、それ故二階部分において好適な通気を行う上で問題となりうる。
【０００６】
なお、仮に外壁部に換気口が設けられていない場合でも、外壁部近傍の通気路を通じて二階部分に入った空気は外壁部周辺に滞留するおそれがあるためこの場合にも上記同様の問題が生じうる。
【０００７】
本発明は、上記事情に鑑みてなされたものであり、床部上方の床上空間における通気を好適に行うことができる建物の通気構造を提供することを主たる目的とするものである。
【課題を解決するための手段】
【０００８】
上記課題を解決すべく、第１の発明の建物の通気構造は、建物の床部に当該床部により仕切られた上下の空間を連通する通気路が形成され、該通気路を介して前記床部の上方の床上空間に空気が導入される建物の通気構造において、前記通気路として、前記床部の周縁に設けられる壁部の近傍に配置された壁際通気路を備え、前記床上空間において前記壁際通気路の上方には前記壁部から張り出して張出部が設けられていることを特徴とする。
【０００９】
建物の床部に通気路を単に設けただけの構成では、通気路上に家具等が設置されることもあり、その場合には通気路が塞がれて当該通気路を通じて通気を行うのが困難となる。その点本発明では、通気路を壁際に設け、かつその上方に張出部を設けている。これによれば、張出部が、壁際通気路上における家具の設置の妨げとなることから、壁際通気路が塞がれることを抑制できる。また、壁際通気路の上方に張出部が設けられているため、壁際通気路を通って床上空間に導入された空気は、張出部に当たって壁部から離れる方向に、すなわち床上空間の中央側に導かれる。ゆえに、床上空間の通気を好適に行うことができる。
【００１０】
ここで、張出部は、壁部の幅方向において壁際通気路の全域に対応させて設けるのが好ましい。この場合、壁部の幅方向における壁際通気路のいずれの部位から床上空間に入った空気についても張出部に当たって床上空間の中央側に導かれる。そのため、床上空間の通気を好適に行う上でより好ましい構成といえる。
【００１１】
第２の発明の建物の通気構造は、第１の発明において、前記壁際通気路は、人の脚を入れるための脚入れ部となっており、前記脚入れ部には、通気を可能とする通気孔を有し、当該脚入れ部に入れられた脚を載せ置くための底板部が設けられ、前記脚入れ部に脚を入れた状態で前記床部により形成された床面に腰掛可能とされていることを特徴とする。
【００１２】
本発明によれば、人が壁際通気路に脚を入れ床面上に腰掛けることができるため、足元の快適さが得られた状態でくつろぐことができる。また、壁際通気路を脚入れ部として利用可能とすることで、壁際通気路の通気スペースを有効利用できる利点も得られる。
【００１３】
第３の発明の建物の通気構造は、第２の発明において、前記張出部として、前記脚入れ部に脚を入れ前記床面に腰掛けた状態で利用可能な机天板が設けられていることを特徴とする。
【００１４】
本発明によれば、人が脚入れ部に脚を入れて床面上に腰掛け、足元の快適さが得られた状態で机天板を使用することができる。また、机天板は通気路の上方に設けられているため、家具等を設置するのが困難であるが故、空間利用の点でデッドスペースとなり易い通気路上方のスペースを読書等をするためのスペースとして有効利用できるという利点もある。
【００１５】
第４の発明の建物の通気構造は、第１乃至第３のいずれかの発明において、前記壁部は、屋内外を仕切る外壁部であり、前記外壁部における前記張出部よりも上方には、屋内外を連通する換気開口部が設けられていることを特徴とする。
【００１６】
一般に建物の外壁部には屋内外を連通する換気開口部が設けられており、壁際通気路を通じて床上空間に入った空気は外壁部に沿って上方に流れた後、当該外壁部に設けられた換気開口部から屋外に排出されると考えられる。その点、本発明では、換気開口部が張出部よりも上方に設けられているため、壁際通気路を通じて床上空間に入った空気は張出部に当たって外壁部から離間する側に導かれる。そのため、壁際通気路を通じて床上空間に入った空気が外壁部に沿って上方に流れそのまま換気開口部より屋外に排出されることが抑制される。これにより、外壁部に換気開口部が設けられている場合でも床上空間の通気を好適に行うことができる。
【００１７】
第５の発明の建物の通気構造は、第１乃至第４のいずれかの発明において、上下に隣接する上階部と下階部とを有し、これら上階部及び下階部に上下同じとなる位置で前記壁部が設けられる建物に適用され、前記床部は、前記上階部の上階空間と前記下階部の下階空間とを仕切る階間部であり、その階間部に前記壁際通気路が形成されており、前記下階空間には、前記階間部を挟んで前記張出部と上下対称となる状態で下階張出部が設けられていることを特徴とする。
【００１８】
本発明によれば、壁際通気路を通じて上階空間から下階空間へ流れ込んだ空気は下階張出部に当たって壁部から離間する側にすなわち下階空間の中央側に導かれる。これにより、壁際の通気路を通じて下階空間に入り込んだ空気を下階空間において広く行き渡らせることができるため、上階空間のみならず下階空間についても好適に通気を行うことができる。
【００１９】
第６の発明の建物の通気構造は、第１乃至第５のいずれかの発明において、前記張出部として、物品を収納可能な収納部が設けられていることを特徴とする。
【００２０】
本発明によれば、壁際通気路の上方スペースを収納スペースとして利用できるため、家具等を設置するのが困難な通気路の上方スペースについて有効利用を図ることができる。
【００２１】
第７の発明の建物の通気構造は、第１乃至第６のいずれかの発明において、前記通気路には、通気を可能とする通気孔を有してなる通気板部が、その上面部が前記床上空間の床面と略同じ高さとなる位置に設けられ、前記張出部の下方スペースに人が入り込んで前記通気板部上に乗るのを抑制すべく、前記床部に対する前記張出部の下面部の高さが所定の高さ範囲に設定されていることを特徴とする。
【００２２】
本発明によれば、床部に対する張出部の下面部の高さが所定の高さ範囲に設定されており、これにより張出部の下方スペースに人が入り込み壁際通気路に設けられた通気板部上に脚等を乗せるのを抑制している。この場合、通気板部の強度（耐荷重）を軽減させることができるため、通気板部を比較的簡素な構成とすることができる。
【００２３】
第８の発明の建物の通気構造は、第１乃至第７のいずれかの発明において、建物本体の外側に取り付けられる拡張ユニットを有し、前記拡張ユニットが、四方の側面部のうち一の側面部が無壁部として構成され、該無壁部にて前記建物本体に連結することで当該建物本体側と一体の屋内空間が形成され、前記拡張ユニットにより前記床部の一部が構成される建物に適用され、前記壁際通気路は、前記床部において前記拡張ユニットにて形成されるユニット床部に設けられ、前記張出部は、前記拡張ユニットの無壁部とは反対側の壁部から張り出して設けられていることを特徴とする。
【００２４】
本発明によれば、拡張ユニットにより床上空間を拡張することができる。そして、拡張ユニットに壁際通気路や張出部を設けたため、建物本体側の構成は何ら変更せずとも建物本体に拡張ユニットを組み付けることで、床上空間における好適な通気を実現できる。
【００２５】
第９の発明の建物の通気構造は、第１乃至第８のいずれかの発明において、上下に隣接する上階部と下階部とを有してなる建物に適用され、前記上階部と前記下階部との間の床部である階間部に前記壁際通気路を含む前記通気路が形成されており、前記階間部において前記下階部の天井面材と前記上階部の床面材との間には空調機が設置されており、前記空調機には、前記壁際通気路に通じる通気ダクトが接続されていることを特徴とする。
【００２６】
本発明によれば、階間部において下階部の天井面材と上階部の床面材との間に設置された空調機より通気ダクトを通じて壁際通気路に空調エアが供給され、その供給された空調エアが壁際通気路より床上空間に吹き出される。そして、床上空間に吹き出された空調エアは張出部を迂回して壁部から離間する側にすなわち床上空間の中央側に導かれるため、床上空間を好適に空調することができる。
【図面の簡単な説明】
【００２７】
【図１】建物の外壁部周辺の構成を示す縦断面図。
【図２】二階居室の内壁周辺を示す斜視図。
【図３】建物ユニットを示す斜視図。
【図４】別例における一階部分の構成を示す縦断面図。
【図５】屋根にトップライトを設けた構成を示す縦断面図。
【図６】階間部に空調機を設置した構成を示す縦断面図。
【図７】拡張ユニットを備える建物を示す正面図。
【発明を実施するための形態】
【００２８】
以下に、本発明を具体化した一実施の形態について図面を参照しつつ説明する。本実施形態では、建物としてユニット式建物について具体化しており、そのユニット式建物は、梁及び柱よりなる複数の建物ユニットを互いに連結することで構成されている。そこで、まず建物ユニットについて図３を参照しつつ説明する。なお、図３は建物ユニットを示す斜視図である。
【００２９】
図３に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００３０】
建物ユニット２０の長辺部の相対する天井大梁２２の間には、所定間隔で複数の天井小梁２４が架け渡されている。同じく建物ユニット２０の長辺部の相対する床大梁２３の間には、所定間隔で複数の床小梁２５が架け渡されている。天井小梁２４と床小梁２５とはそれぞれ同間隔でかつ各々上下に対応する位置に設けられている。
【００３１】
次に、本実施形態の建物１０について図１に基づいて説明する。なお、図１は建物の外壁部周辺の構成を示す縦断面図である。
【００３２】
図１に示すように、建物１０は、基礎１１上に形成された下階部としての一階部分１２と、一階部分１２の上方に連続して形成された上階部としての二階部分１３と、二階部分１３の上方に設けられた屋根１４とを備えている。一階部分１２及び二階部分１３はそれぞれ、複数の建物ユニット２０が並設されることにより構成されており、以下の説明では一階部分１２に設置された建物ユニット２０を下階ユニット２０ａといい、二階部分１３に設置された建物ユニット２０を上階ユニット２０ｂという。また、説明の便宜上、下階ユニット２０ａを構成する各部材（柱や梁等）の符号にはａを付し、上階ユニット２０ｂを構成する各部材の符号にはｂを付す。
【００３３】
建物１０の一階部分１２には一階居室１６が形成されており、二階部分１３には二階居室１７が形成されている。建物１０には、一階居室１６及び二階居室１７を屋外と仕切る外壁部２７が設けられている。外壁部２７は、一階部分１２及び二階部分１３にそれぞれ外壁パネル２８及び内壁パネル２９が設置されるとともにこれら各パネル２８，２９の間に壁内断熱材３１が配設されることにより構成されている。
【００３４】
建物１０には、一階居室１６と床下空間３４とを仕切る一階床部３３が設けられている。一階床部３３には、下階ユニット２０ａの床梁２３ａ，２５ａ上に床根太３５が設けられ、床根太３５上に一階居室１６の床面を形成する一階床面材３６が設けられている。一階床面材３６は、例えばパーティクルボード等により構成されている。一階床面材３６の下面側には、グラスウール等からなる床下断熱材３７が設けられている。
【００３５】
建物１０には、一階居室１６と二階居室１７とを仕切る階間部４０が設けられている。階間部４０は、一階居室１６の天井面を形成する一階天井面材４１と、二階居室１７の床面を形成する二階床面材４２と、それら各面材４１，４２の間に設けられた各種部材とを備えて構成されている。一階天井面材４１は、例えば２枚重ねの石膏ボードにより構成されており、下階ユニット２０ａの天井梁２２ａ，２４ａの下面に取り付けられた野縁４５の下面に固定されている。二階床面材４２は、例えばパーティクルボード等により構成されており、上階ユニット２０ｂの床梁２３ｂ，２５ｂ上に固定されている。また、一階天井面材４１と二階床面材４２との間の空間は階間空間４３となっている。
【００３６】
建物１０の二階部分１３には、二階居室１７の天井面を形成する二階天井面材４７が設けられている。二階天井面材４７は、例えば２枚重ねの石膏ボードにより構成され、上階ユニット２０ｂの天井梁２２ｂ，２４ｂの下面に取り付けられた野縁４８に固定されている。
【００３７】
ところで、本建物１０では、階間部４０に一階居室１６と二階居室１７とを連通する通気路５０が設けられており、この通気路５０を通じて階間部４０を挟んだ各居室１６，１７間で通気が可能となっている。本実施形態では、通気路５０が外壁部２７の近傍に設けられており、この外壁部２７近傍の通気路５０を通じて一階居室１６から二階居室１７に流れ込む空気を二階居室１７に広く行き渡らせること等を目的として二階部分１３における外壁部２７の壁際に特徴的な構成を有している。以下、その詳細について図１に加え図２を参照しつつ説明する。なお、図２は、二階居室１７の内壁周辺を示す斜視図である。
【００３８】
図１及び図２に示すように、通気路５０は、階間部４０において内壁パネル２９の近傍に、すなわち内壁パネル２９の壁際に設けられている。具体的には、通気路５０は、下階ユニット２０ａの天井大梁２２ａと同天井大梁２２ａと隣り合う天井小梁２４ａとの間及び上階ユニット２０ｂの床大梁２３ｂと同床大梁２３ｂと隣り合う床小梁２５ｂとの間を通じて上下に延びている。また、通気路５０は、内壁パネル２９の幅（左右）方向に沿って長尺状に形成されている。但し、通気路５０は必ずしも長尺状とする必要はなく、通気路５０の開口形状を円形や正方形等その他の形状としてもよい。また、通気路５０の開口形状を正方形状として、内壁パネル２９の幅方向に沿って所定間隔で複数設けてもよい。
【００３９】
通気路５０は、一階天井面材４１と二階床面材４２との間に上下に掛け渡された複数の通気路構成板５４により四方を囲まれて形成されている。そして、通気路５０は、二階床面材４２に形成された上側開口部５２を介して二階居室１７に通じている一方、一階天井面材４１に形成された下側開口部５３を介して一階居室１６に通じている。
【００４０】
通気路５０の上端部及び下端部には、複数の通気孔を有してなる通気板部としての通気ガラリ５６，５７が設けられている。通気ガラリ５６，５７は、例えばルーバを有して構成されている。床側通気ガラリ５６は、その上面部が二階居室１７の床面と略同じ高さとなる高さ位置に設けられ、天井側通気ガラリ５７は、その下面部が一階居室１６の天井面と略同じ高さとなる高さ位置に設けられている。なお、これらの通気ガラリ５６，５７により通気路５０を通じて二階居室１７から一階居室１６に物が落下するのを抑制する効果もある。また、床側通気ガラリ５６上には、通気路５０（詳細には二階床面材４２の上側開口部５２）を閉鎖することで同通気路５０を通じた通気を遮断するための蓋５８を設置できるようになっている。
【００４１】
二階居室１７には、物品を収納することが可能な二階収納部６０が設けられている。なおここで、二階収納部６０が張出部に相当する。二階収納部６０は、例えばクロゼットからなる。二階収納部６０は、全体として略直方体状に形成されており、その下面側全域には底板部が設けられている。二階収納部６０は、通気路５０から上方に離間した位置において内壁パネル２９から屋内側に張り出して設けられており、内壁パネル２９の下地フレーム（図示略）にボルト等により固定されている。具体的には、二階収納部６０は、その設置状態において下端部の高さ位置が二階床面から約８０〜１００ｃｍ上方に設定されており、そのため二階収納部６０の下方に人が入り込んだり家具等が設置されたりすることで床側通気ガラリ５６上に荷重が加えられるのが抑制されている。
【００４２】
なお、二階収納部６０の下端部の高さ位置は必ずしも上記の範囲に設定する必要はなく、例えば二階床面から８０ｃｍ未満上方の高さ位置に設定してもよい。
【００４３】
二階収納部６０は、内壁パネル２９の幅方向（換言すれば通気路５０の長手方向）に沿って延びるように形成されており、より詳しくは内壁パネル２９の幅方向全域に形成されている。そのため、二階収納部６０の長手方向両端部は、内壁パネル２９を挟んで対向する一対の内壁面に当接又は近接している。したがって、二階収納部６０は平面視において通気路５０の長手方向全域と重複している。
【００４４】
また、二階収納部６０は、通気路５０よりも外壁部２７から離間する側（以下、離間側という）に張り出している。詳しくは、二階収納部６０の外壁部２７からの張出量（張出長さ）が、換言すると外壁部２７の厚み方向における二階収納部６０の長さ寸法が、外壁部２７から通気路５０の離間側端部までの距離よりも大きくなっている。したがって、二階収納部６０は平面視において通気路５０の長手方向全域のみならず通気路５０の短手方向（外壁部２７と直交する方向）全域とも重複しており、それ故平面視において通気路５０の全域と重複している。
【００４５】
外壁部２７の二階部分１３には、屋外と二階居室１７とを連通する換気開口部としての二階換気窓６１が設けられている。二階換気窓６１は、外壁部２７において二階収納部６０よりも上方に設けられており、換言すれば二階収納部６０を挟んで通気路５０とは反対側に設けられている。二階換気窓６１には、当該換気窓６１を開閉する二階窓戸６２が配設されている。二階窓戸６２は、例えばすべり出し窓により構成されている。
【００４６】
ここで、通気路５０を通じて一階居室１６から二階居室１７に空気が流れ込むと、その空気は通気路５０上方の二階収納部６０に当たって内壁パネル２９から離間する側へ、すなわち二階居室１７の中央側へ導かれる。そして、二階窓戸６２が開かれて二階換気窓６１が開放されている場合には、その後上記の空気が二階換気窓６１を通じて屋外に排出される。この場合、壁際の通気路５０から二階居室１７に入った空気を二階居室１７において広く行き渡らせることができる。
【００４７】
本実施形態では、さらに、一階居室１６において通気路５０の下方に下階張出部を設置し、通気路５０を通じて二階居室１７から一階居室１６に流れ込む空気を当該張出部により一階居室１６に広く行き渡らせることとしている。一階居室１６に設置された下階張出部としての一階収納部６５は、例えば二階収納部６０と同様のクロゼットからなる。一階収納部６５は、通気路５０から下方に離間した位置において内壁パネル２９から屋内側に張り出して設けられている。したがって、一階収納部６５は、階間部４０を挟んで二階収納部６０と上下対称となる状態で設けられている。また、一階収納部６５の下面側には、後述する机部８０を照らすための照明器具６９が取り付けられている。
【００４８】
外壁部２７の一階部分１２には、屋外と一階居室１６とを連通する一階換気窓６６が設けられている。一階換気窓６６は、外壁部２７において一階収納部６５よりも下方に設けられており、換言すれば一階収納部６５を挟んで通気路５０とは反対側に設けられている。一階換気窓６６には、当該換気窓６６を開閉する一階窓戸６７が配設されている。一階窓戸６７は、例えばすべり出し窓により構成されている。
【００４９】
ここで、通気路５０を通じて二階居室１７から一階居室１６に流れ込んだ空気は一階収納部６５に当たって内壁パネル２９から離間する側に、すなわち一階居室１６の中央側に導かれる。そして、その後その空気は一階換気窓６６を通じて屋外に排出される。したがって、壁際の通気路５０から一階居室１６に入った空気を当該居室１６において広く行き渡らせることができる。
【００５０】
その他本建物１０には、一階床部３３における外壁部２７近傍に、人の脚を入れるための脚入れ部７１が設けられている。脚入れ部７１は、一階床面に対し下側に凹ませて形成されており、この脚入れ部７１に脚を入れた状態で一階床面上（詳細には一階床面上における脚入れ部７１の周縁部）に腰掛け可能となっている。
【００５１】
脚入れ部７１は、下階ユニット２０ａの床大梁２３ａと同床大梁２３ａと隣り合う床小梁２５ａとの間に形成されている。一階床面材３６には、脚入れ部７１への出入口となる矩形形状の開口部７２が形成されている。脚入れ部７１は、開口部７２の開口縁部から下方に延びる複数の脚入側板７４と、各脚入側板７４の下端部により囲まれる内側領域に設けられた脚入底板７５とにより囲まれて形成されている。脚入側板７４は、一階床面材３６に対し下地材（図示略）を介して連結されており、脚入底板７５は脚入側板７４に対して下地材（図示略）を介して連結されている。また、脚入側板７４及び脚入底板７５の裏面側には、上記床下断熱材３７と連続して床下断熱材７７が設けられている。
【００５２】
脚入れ部７１の上方には、机部８０が設けられている。机部８０は、脚入れ部７１に脚を入れ一階床面上に腰掛けた状態で机としての利用が可能なものである。机部８０は、例えば矩形形状をなす木製の平板からなる。机部８０は、内壁パネル２９から一階居室１６側に向かって略水平に延びるように設けられ、その一端部が内壁パネル２９の下地フレーム（図示略）にビス等により固定されている。したがって、机部８０は、内壁パネル２９により片持ち支持されている。この場合、脚入れ部７１に脚を入れ一階床面上に腰掛けた状態で机部８０の上で読書したり勉強したりすることができる。また、机部８０は、一階換気窓６６の下端付近から屋内側に延びており、それ故机部８０の上を一階換気窓６６から入り込む外光により明るく照らすことができる。
【００５３】
以上、詳述した本実施形態の構成によれば、以下の優れた効果が得られる。
【００５４】
階間部４０において外壁部２７の近傍に一階居室１６と二階居室１７とを連通する通気路５０を設け、二階居室１７において通気路５０の上方に外壁部２７から張り出して二階収納部６０を設けた。この場合、通気路５０を通じて二階居室１７に入り込んだ空気は二階収納部６０に当たって外壁部２７から離間する側にすなわち二階居室１７の中央側に導かれるため、二階居室１７の通気を好適に行うことができる。
【００５５】
二階収納部６０を、外壁部２７の幅方向（換言すると通気路５０の長手方向）において通気路５０の全域に対応させて設けた。この場合、外壁部２７の幅方向における通気路５０のいずれの部位から二階居室１７に入った空気についても二階収納部６０に当たって二階居室１７の中央側に導かれる。そのため、二階居室１７の通気を好適に行う上で好ましい構成といえる。
【００５６】
また、二階収納部６０を、通気路５０よりも外壁部２７から離間する側へ張り出して設けた。この場合、二階収納部６０の張出方向における通気路５０のいずれの部位から二階居室１７に入った空気についても二階収納部６０に当たって二階居室１７の中央側に導かれる。そのため、二階居室１７の通気を好適に行う上で好ましい構成といえる。
【００５７】
さらに、二階収納部６０を、平面視において通気路５０の全域と重複して設けたため、二階居室１７の通気をより一層好適に行うことができる。
【００５８】
外壁部２７における二階収納部６０よりも上方に屋内外を連通する二階換気窓６１を設けた。この場合、壁際の通気路５０を通じて二階居室１７に入った空気は二階収納部６０に当たって外壁部２７から離間する側に導かれる。そのため、通気路５０を通じて二階居室１７に入った空気が外壁部２７に沿って上方に流れそのまま二階換気窓６１より屋外に排出されることが抑制される。これにより、外壁部２７に換気開口部（二階換気窓６１）が設けられている場合でも二階居室１７の通気を好適に行うことができる。
【００５９】
一階居室１６に、階間部４０を挟んで二階収納部６０と上下対称となる状態で一階収納部６５を外壁部２７から張り出して設けた。この場合、壁際の通気路５０を通じて一階居室１６に入り込んだ空気は一階収納部６５に当たって外壁部２７から離間する側にすなわち一階居室１６の中央側に導かれる。これにより、二階居室１７のみならず一階居室１６についても好適に通気を行うことができる。
【００６０】
外壁部２７における一階収納部６５よりも下方に屋内外を連通する一階換気窓６６を設けた。この場合、壁際の通気路５０を通じて一階居室１６に入った空気は一階収納部６５に当たって外壁部２７から離間する側に導かれる。そのため、通気路５０を通じて一階居室１６に入った空気が外壁部２７に沿って下方に流れそのまま一階換気窓６６より屋外に排出されることが抑制される。これにより、外壁部２７に換気開口部（一階換気窓６６）が設けられている場合でも一階居室１６の通気を好適に行うことができる。
【００６１】
通気路５０に、通気を可能とする通気孔を有してなる床側通気ガラリ５６を設け、当該通気ガラリ５６をその上面部が二階居室１７の床面と略同じ高さとなる高さ位置に設置した。そして、二階収納部６０の下方スペースに人が入り込んで同通気ガラリ５６上に乗るのを抑制すべく、二階床面に対する二階収納部６０の下面部の高さを所定の高さ範囲に設定した。この場合、床側通気ガラリ５６の強度（耐荷重）を軽減させることができるため、床側通気ガラリ５６を比較的簡素な構成とすることができる。
【００６２】
通気路５０を開閉するための開閉手段として蓋５８を設けた。これにより、都度の状況に応じて通気路５０を通じた各居室１６，１７間の通気を実施したり遮断したりすることができる。なお、開閉手段は必ずしも蓋５８である必要はなく、例えば通気ガラリ５６，５７を開閉可能なものとし同通気ガラリ５６，５７を開閉することで通気路５０を開閉する等その他の手段を用いてもよい。
【００６３】
本発明は上記実施形態に限らず、例えば次のように実施されてもよい。
【００６４】
（１）上記実施形態では、二階床部である階間部４０の壁際に一階居室１６と二階居室１７とを連通する壁際通気路としての通気路５０を設けるとともに、二階居室１７における通気路５０上方に張出部としての二階収納部６０を設けたが、これに代えて又は加えて、一階床部３３の壁際に一階居室１６と床下空間３４とを連通する壁際通気路を設けるとともに、一階居室１６における壁際通気路上方に張出部を設けてもよい。以下、その具体例を図４に基づいて説明する。
【００６５】
図４では、一階床部３３の壁際に設けられた脚入れ部７１を用いて通気路９１が構成されており、一階居室１６において脚入れ部７１の上方に設けられた机部８０により張出部が構成されている。脚入れ部７１において各脚入側板７４の下端部により囲まれた内側領域９２には、上記実施形態の脚入底板７５に代えて底板部としての通気ガラリ９３が配設されている。したがって、本例では上記内側領域９２を介して脚入れ部７１と床下空間３４とが連通されており、ひいては脚入れ部７１を介して床下空間３４と一階居室１６とが連通されている。つまり、この場合脚入れ部７１が通気路９１として兼用されており、その通気路９１を通じて床下空間３４と一階居室１６との間で通気が可能となっている。なお、通気ガラリ９３の下面側には床下断熱材が設けられていない。
【００６６】
通気ガラリ９３上には、通気路９１を閉鎖するための底蓋９５を設置することが可能となっている。これにより、通気路９１を通じて通気が行われるのを遮断することができる。また、底蓋９５の片面には、床下断熱材９７が取り付けられており、底蓋９５が通気ガラリ９３上に設置される際にはこの床下断熱材９７が底蓋９５の下側に設置される。そのため、通気遮断時においては通気路９１を通じた熱の出入りを抑制することができる。
【００６７】
上記構成によれば、通気路９１を通じて床下空間３４から一階居室１６に入った空気が通気路９１の上方に設けられた机部８０に当たり外壁部２７に対して離間する側に、すなわち一階居室１６の中央側に導かれるため、同空気を一階居室１６において広く行き渡らせることができる。これにより、一階居室１６の通気を好適に行うことができる。
【００６８】
また、通気路９１が脚入れ部７１となっているため、人が通気路９１に脚を入れた状態で一階床面上に腰掛けることができる。これにより、足元の快適さが得られた状態でくつろぐことができる。また、通気路９１を脚入れ部７１として利用可能としたことで、通気路９１の通気スペースを有効利用することもできる。
【００６９】
さらに、脚入れ部７１に脚を入れ一階床面上に腰掛けた状態で利用可能な机部８０を張出部として設けた。そのため、人が脚入れ部７１に脚を入れて床面上に腰掛け、足元の快適さが得られた状態で机部８０を使用することができる。また、机部８０は通気路５０の上方に設けられているため、家具等を設置するのが困難であり空間利用の点でデッドスペースとなり易い通気路５０上方のスペースを読書等をするためのスペースとして有効利用できるという利点もある。
【００７０】
（２）上記実施形態では、二階部分１３の外壁部２７において二階収納部６０の上方に屋内外を連通する換気開口部としての二階換気窓６１を設けたが、これに代えて又は加えて、二階居室１７の天井側において二階収納部６０の上方に換気開口部を設けてもよい。例えば、図５に示すように、屋根１４に、二階居室１７から上方に延びる屋根通路８１を設け、屋根通路８１を当該屋根通路８１の上端部において屋外側に開口させる。ここで、屋根通路８１は、仕切部材８４により屋根裏空間８５と仕切られて構成される。そして、屋根１４において屋外側に開口された屋根開口部８２に、当該開口部８２を開閉するトップライト８３（天窓）を設置する。この場合、トップライト８３を開いて屋根開口部８２を開放すれば、屋根通路８１を通じて二階居室１７の空気を屋外に排出できる。
【００７１】
（３）建物１０の階間空間４３に、空調エアを生成する空調機と、当該空調機に接続され通気路５０に通じる通気ダクトとを設けてもよい。図６にその一例を示す。図６では、階間空間４３において下階ユニット２０ａの隣り合う天井小梁２４ａ上に空調機１０１が掛け渡されて設置されている。空調機１０１には通気ダクト１０２の一端部が接続されており、通気ダクト１０２の他端側は通気路５０を構成する通気路構成板５４に形成されたダクト挿通孔１０３に挿し込まれている。したがって、通気ダクト１０２は空調機１０１から通気路５０に通じている。この場合、空調機１０１から空調エアが通気ダクト１０２を通じて通気路５０に供給され、その供給された空調エアが通気路５０から一階居室１６及び二階居室１７に吹き出される。そして、各居室１６，１７に吹き出された空調エアは各収納部６０，６５により外壁部２７から離間する側（居室１６，１７の中央側）に導かれる。そのため、空調エアを一階居室１６及び二階居室１７において広く行き渡らせることができ、その結果各居室１６，１７を好適に空調することができる。
【００７２】
また、上記構成において、各通気ガラリ５６，５７を開閉式（例えばルーバを回動することで開閉する方式）のものとし、通気ガラリ５６，５７を開閉することで通気路５０と居室１６，１７との連通を許可及び遮断できるようにしてもよい。この場合、天井側通気ガラリ５７を閉鎖しかつ床側通気ガラリ５６を開放すれば空調機１０１から二階居室１７のみに空調エアを供給できる一方、床側通気ガラリ５６を閉鎖しかつ天井側通気ガラリ５７を開放すれば空調機１０１から一階居室１６のみに空調エアを供給できる。これにより、一階居室１６及び二階居室１７のうちいずれか一方の居室に対してのみ空調を行うことができるため、建物１０内における空調の自由度を高めることができる。
【００７３】
（４）建物本体の外面側に屋内空間を拡張する拡張ユニットを設け、その拡張ユニットの下面部に壁際通気路を設けるとともに拡張ユニット内の拡張空間を屋外と仕切る同ユニットの側面部に収納部を設けてもよい。その具体例を図７に基づいて説明する。図７に示すように、本例の建物１１０は、基礎１１１の上に設けられた建物本体１１２と、建物本体１１２の上方に設けられた屋根１１３とを備える。建物本体１１２は、一階部分１１４と二階部分１１５とからなる二階建て建物であり、複数の建物ユニット２０が連結されることにより構成されている。
【００７４】
建物本体１１２の外面側には、屋内空間を拡張する拡張ユニット１２０が一階部分１１４及び二階部分１１５にそれぞれ設けられている。一階部分１１４の拡張ユニット１２０（以下、下階拡張ユニット１２０ａという）と二階部分１１５の拡張ユニット１２０（以下、上階拡張ユニット１２０ｂという）とは上下に並んで設置されており、下階拡張ユニット１２０ａが下階ユニット２０ａに連結され、上階拡張ユニット１２０ｂが上階ユニット２０ｂに連結されている。すなわち、複数の建物ユニット２０からなる建物本体１１２が基礎１１１上に設置されているのに対し、建物本体１１２の付属物である拡張ユニット１２０は基礎１１１上に設置されておらず建物本体１１２の外面側に取り付けられている。そして、かかる構成において、一階部分１１４及び二階部分１１５ではそれぞれ、建物ユニット２０と拡張ユニット１２０とに跨って屋内空間が形成されている。
【００７５】
ここで、拡張ユニット１２０の構成について図示は省略するが簡単に説明する。拡張ユニット１２０は、３本の梁材が平面視においてコ字状に連結されてなる上下一対のコ字状フレームを備え、上側のコ字状フレームに天井パネルが取り付けられ、下側のコ字状フレームに床パネルが取り付けられ、上下各コ字状フレームに跨って３面に壁パネルが取り付けられている。これにより、拡張ユニット１２０は、全体としては一側面が開放された直方体状をなしており、換言すると、四方の側面部のうち一の側面部が無壁部として構成されている。そして、拡張ユニット１２０は、その開放面である無壁部を建物本体１１２（建物ユニット２０）側に向けた状態で建物ユニット２０に連結されている。これにより、本建物１１０では、建物ユニット２０と拡張ユニット１２０とにより一体の屋内空間が形成されている。なお、拡張ユニット１２０は、予めユニット製造工場において製造されるものとなっている。
【００７６】
下階拡張ユニット１２０ａ内の拡張空間１２２と上階拡張ユニット１２０ｂ内の拡張空間１２３とを上下に仕切る部分（下階拡張ユニット１２０ａの天井パネルと上階拡張ユニット１２０ｂの床パネルとを含みそれら各パネルに挟まれた部分）は拡張床部１２５となっている。ここで、拡張床部１２５がユニット床部に相当する。拡張床部１２５には、拡張空間１２２，１２３同士を上下に連通する壁際通気路１２７が設けられている。壁際通気路１２７は、拡張ユニット１２０の上記無壁部とは反対側の壁部であり拡張空間１２２，１２３と屋外とを仕切る外壁部１２８の近傍に設けられている。
【００７７】
二階部分１１５の拡張空間１２３には、外壁部１２８から張り出して収納部１２９が設けられている。収納部１２９は、壁際通気路１２７の上方に当該壁際通気路１２７から離間して設けられ、外壁部１２８に対してボルト等により固定されている。なお、収納部１２９は、ユニット工場において予め上階拡張ユニット１２０ｂに組み付けられるものとなっている。上記の構成によれば、壁際通気路１２７を通じて二階部分１１５の拡張空間１２３に入り込んだ空気は収納部１２９に当たって外壁部１２８から離間する側へ、すなわち建物本体１１２側の上階ユニット２０ｂ内へ導かれる。そのため、上階拡張ユニット１２０ｂにより拡張された二階部分１１５の屋内空間を好適に通気することができる。そして、拡張ユニット１２０に対して壁際通気路１２７や収納部１２９を設けたため、建物本体１１２側の構成は何ら変更せずとも建物本体１１２に拡張ユニット１２０を組み付けることで好適な通気を実現することができる。
【００７８】
（５）上記実施形態では、張出部及び下階張出部（以下、張出部等という）として収納機能を有する収納部６０，６５を設けたが、張出部等は必ずしも収納部により構成する必要はなく、テレビ等を設置するための設置棚等その他の部材により構成してもよい。なお、張出部を単なる平板により構成してもよい。
【００７９】
（６）上記実施形態では、階間部４０において通気路５０を外壁部２７の壁際のみに設けたが、これに加えて通気路５０を外壁部２７から離間した部位に、すなわち階間部４０の中央側に設けてもよい。そうすれば、各居室１６，１７間における通気性を高めることができる。
【００８０】
（７）上記実施形態では、二階建ての建物１０に対して本発明を適用したが、三階建て以上の建物に適用してもよい。例えば、三階建ての建物において二階部分と三階部分との間の階間部に壁際通気路を設け、三階部分の壁際通気路上方に収納部を設置することが考えられる。また、平屋建ての建物に対して本発明を適用してもよい。平屋建ての建物の場合には、階間部が存在しないため屋内空間と床下空間とを仕切る床部にこれら各空間を連通する壁際通気路を設け、その壁際通気路の上方に収納部を設置することとなる。
【００８１】
（８）上記実施形態では、階間部４０（床部に相当）において壁際通気路としての通気路５０を屋内外を仕切る外壁部２７の壁際に設けたが、壁際通気路を屋内空間を仕切る内壁部の壁際に設けてもよい。内壁部の壁際に壁際通気路が設けられている場合、壁際通気路を通じて床上空間に入り込んだ空気は内壁部に沿って上方に流れ、その後内壁部周辺に滞留するおそれがある。その点、かかる構成とすれば、壁際通気路から床上空間に流れ込んだ空気を内壁部から離間する側に導くことができるため、同空気が内壁部周辺に滞留するのを抑制でき、その結果床上空間の通気を好適に行える。
【００８２】
（９）上記実施形態では、ユニット式建物への適用例を説明したが、鉄骨軸組工法により構築される建物や、在来木造工法により構築される建物等、他の構造の建物にも本発明を適用することができる。
【符号の説明】
【００８３】
１０…建物、１７…床上空間としての二階居室、２７…壁部としての外壁部、４０…床部としての階間部、５０…壁際通気路としての通気路、５６…通気板部としての床側通気ガラリ、６０…張出部としての二階収納部、６１…換気開口部としての二階換気窓、７１…脚入れ部、８０…机天板としての机部。
【図１】
0005684499.tif 000002
【図２】
0005684499.tif 000003
【図３】
0005684499.tif 000004
【図４】
0005684499.tif 000005
【図５】
0005684499.tif 000006
【図６】
0005684499.tif 000007
【図７】
0005684499.tif 000008